(57)【要約】【課題】望ましい画像を撮像することができる撮像スポット、撮像タイミングにあることをユーザに知らせる撮像装置を提供すること。【解決手段】本発明に係る撮像装置は、撮像を行うべきことをユーザに指示すべき位置である撮像位置、撮像位置から撮像を行うべき方向である撮像方向を含む撮像指示情報を格納する撮像指示情報格納部と、撮像装置の位置を検出する位置検出部と、撮像指示情報格納部が格納する撮像位置と位置検出部が検出した位置との間の距離が予め定められた設定距離より短いことを条件として、ユーザに対して撮像を行うべきことを指示するともに、撮像位置からの撮像方向を指示する撮像指示部とを備える。【選択図】図２
2006251383.tif 000002
【特許請求の範囲】
【請求項１】
画像を撮像する撮像装置であって、
撮像を行うべきことをユーザに指示すべき位置である撮像位置を含む撮像指示情報を格納する撮像指示情報格納部と、
当該撮像装置の位置を検出する位置検出部と、
前記撮像指示情報格納部が格納する撮像位置と前記位置検出部が検出した位置との間の距離が予め定められた設定距離より短いことを条件として、ユーザに対して撮像を行うべきことを指示する撮像指示部と
を備える撮像装置。
【請求項２】
前記撮像指示情報格納部は、前記撮像位置に対応づけて、前記撮像位置から撮像を行うべき方向である撮像方向をさらに格納し、
前記撮像指示部は、ユーザに対して撮像を行うべきことを指示するとともに、前記撮像位置からの撮像方向を指示する
請求項１に記載の撮像装置。
【請求項３】
前記撮像指示情報格納部は、前記撮像位置に対応づけて、前記撮像位置において撮像を行うべき時刻である撮像時刻をさらに格納し、
前記撮像指示部は、前記撮像指示情報格納部が格納する撮像時刻と現在時刻との間の時間が予め定められた時間差より短いことを条件として、ユーザに対して撮像を行うべきことを指示する
請求項１に記載の撮像装置。
【請求項４】
前記撮像指示情報格納部は、前記撮像時刻に対応づけて、前記撮像時刻に撮像を行うことの重要性を示す時刻重要度をさらに格納し、
前記撮像指示部は、前記撮像指示情報が格納する時刻重要度がより大きい場合に、より短い時間差でユーザに対して撮像を行うべきことを指示する
請求項３に記載の撮像装置。
【請求項５】
ユーザに目的地を入力させる目的地入力部と、
前記目的地入力部から入力された目的地の周辺における、撮像を行うべきことをユーザに指示すべき位置である撮像位置を含む撮像指示情報を取得する撮像指示情報取得部と
をさらに備え、
前記撮像指示情報格納部は、前記撮像指示情報取得部が取得した撮像指示情報を格納する
請求項１に記載の撮像装置。
【請求項６】
前記撮像指示情報格納部と同一のメモリ内に構成され、撮像された画像を格納する画像格納部と、
前記メモリの空き容量が予め定められた容量より小さくなった場合に、前記撮像指示情報格納部が格納する撮像指示情報を消去する撮像指示情報消去制御部と
をさらに備える請求項５に記載の撮像装置。
【請求項７】
前記位置検出部が検出した位置の履歴である移動履歴を格納する移動履歴格納部
をさらに備え、
前記撮像指示情報消去制御部は、前記移動履歴格納部を参照することによって、前記撮像指示情報格納部が格納する撮像位置を当該撮像装置が通り過ぎたと判断した場合に、前記撮像指示情報格納部が格納する撮像指示情報を消去する
請求項６に記載の撮像装置。
【請求項８】
撮像を行うべきことをユーザに指示すべき位置である撮像位置を含む撮像指示情報を格納する撮像指示情報格納段階と、
撮像装置の位置を検出する位置検出段階と、
前記撮像指示情報格納段階において格納される撮像位置と前記位置検出段階において検出された位置との間の距離が予め定められた設定距離より短いことを条件として、ユーザに対して撮像を行うべきことを指示する撮像指示段階とを備える撮像方法。
【請求項９】
画像を撮像する撮像装置用のプログラムであって、前記撮像装置を、
撮像を行うべきことをユーザに指示すべき位置である撮像位置を含む撮像指示情報を格納する撮像指示情報格納部、
当該撮像装置の位置を検出する位置検出部、
前記撮像指示情報格納部が格納する撮像位置と前記位置検出部が検出した位置との間の距離が予め定められた設定距離より短いことを条件として、ユーザに対して撮像を行うべきことを指示する撮像指示部
として機能させるプログラム。
【発明の詳細な説明】
【技術分野】
【０００１】
本発明は、撮像装置、撮像方法、及びプログラムに関する。特に本発明は、画像を撮像する撮像装置及び撮像方法、並びに、撮像装置用のプログラムに関する。
【背景技術】
【０００２】
ＧＰＳ衛星又は無線基地局から送信される測位情報に基づいて、カメラの場所情報を取得して、この場所情報を撮影時に表示するとともに、撮影した場所を記録するカメラが知られている（例えば、特許文献１参照。）。また、撮影時に記録された位置情報を基づいてレイアウトされたアルバムを作成する技術が知られている。
【特許文献１】特開平１１−２９５８０２号公報
【発明の開示】
【発明が解決しようとする課題】
【０００３】
しかしながら、ユーザが訪れた観光地の名物の銅像等、観光地の代表的な撮像スポットにいることにユーザが気付かず、撮影しないまま通り過ぎてしまうことがある。この結果、観光地を代表する画像を含まないアルバムが作成されてしまう。ユーザが撮像スポットを気にしながら観光するのはユーザにとって負担になってしまうので、ユーザが撮像スポットにいるか否かを気にすることなく観光に集中することができるのが望ましい。
【０００４】
そこで本発明は、上記の課題を解決することができる撮像装置、撮像方法、及びプログラムを提供することを目的とする。この目的は特許請求の範囲における独立項に記載の特徴の組み合わせにより達成される。また従属項は本発明の更なる有利な具体例を規定する。
【課題を解決するための手段】
【０００５】
本発明の第１の形態によると、画像を撮像する撮像装置であって、撮像を行うべきことをユーザに指示すべき位置である撮像位置を含む撮像指示情報を格納する撮像指示情報格納部と、当該撮像装置の位置を検出する位置検出部と、撮像指示情報格納部が格納する撮像位置と位置検出部が検出した位置との間の距離が予め定められた設定距離より短いことを条件として、ユーザに対して撮像を行うべきことを指示する撮像指示部とを備える。
【０００６】
撮像指示情報格納部は、撮像位置に対応づけて、撮像位置から撮像を行うべき方向である撮像方向をさらに格納し、撮像指示部は、ユーザに対して撮像を行うべきことを指示するとともに、撮像位置からの撮像方向を指示してよい。
【０００７】
撮像指示情報格納部は、撮像位置に対応づけて、撮像位置において撮像を行うべき時刻である撮像時刻をさらに格納し、撮像指示部は、撮像指示情報格納部が格納する撮像時刻と現在時刻との間の時間が予め定められた時間差より短いことを条件として、ユーザに対して撮像を行うべきことを指示してよい。
【０００８】
撮像指示情報格納部は、撮像時刻に対応づけて、撮像時刻に撮像を行うことの重要性を示す時刻重要度をさらに格納し、撮像指示部は、撮像指示情報が格納する時刻重要度がより大きい場合に、より短い時間差でユーザに対して撮像を行うべきことを指示してよい。
【０００９】
ユーザに目的地を入力させる目的地入力部と、目的地入力部から入力された目的地の周辺における、撮像を行うべきことをユーザに指示すべき位置である撮像位置を含む撮像指示情報を取得する撮像指示情報取得部とをさらに備え、撮像指示情報格納部は、撮像指示情報取得部が取得した撮像指示情報を格納してよい。
【００１０】
撮像指示情報格納部と同一のメモリ内に構成され、撮像された画像を格納する画像格納部と、メモリの空き容量が予め定められた容量より小さくなった場合に、撮像指示情報格納部が格納する撮像指示情報を消去する撮像指示情報消去制御部とをさらに備えてよい。
【００１１】
位置検出部が検出した位置の履歴である移動履歴を格納する移動履歴格納部をさらに備え、撮像指示情報消去制御部は、移動履歴格納部を参照することによって、撮像指示情報格納部が格納する撮像位置を当該撮像装置が通り過ぎたと判断した場合に、撮像指示情報格納部が格納する撮像指示情報を消去してよい。
【００１２】
本発明の第２の形態における撮像方法は、撮像を行うべきことをユーザに指示すべき位置である撮像位置を含む撮像指示情報を格納する撮像指示情報格納段階と、撮像装置の位置を検出する位置検出段階と、撮像指示情報格納段階において格納される撮像位置と位置検出段階において検出された位置との間の距離が予め定められた設定距離より短いことを条件として、ユーザに対して撮像を行うべきことを指示する撮像指示段階とを備える。
【００１３】
本発明の第３の形態によると、画像を撮像する撮像装置用のプログラムであって、撮像装置を、撮像を行うべきことをユーザに指示すべき位置である撮像位置を含む撮像指示情報を格納する撮像指示情報格納部、当該撮像装置の位置を検出する位置検出部、撮像指示情報格納部が格納する撮像位置と位置検出部が検出した位置との間の距離が予め定められた設定距離より短いことを条件として、ユーザに対して撮像を行うべきことを指示する撮像指示部として機能させる。
【００１４】
なお上記の発明の概要は、本発明の必要な特徴の全てを列挙したものではなく、これらの特徴群のサブコンビネーションもまた発明となりうる。
【発明の効果】
【００１５】
本発明によれば、望ましい画像を撮像することができる撮像スポット、撮像タイミングにあることをユーザに知らせる撮像装置を提供することができる。
【発明を実施するための最良の形態】
【００１６】
以下、発明の実施形態を通じて本発明を説明するが、以下の実施形態は特許請求の範囲に係る発明を限定するものではなく、また実施形態の中で説明されている特徴の組み合わせの全てが発明の解決手段に必須であるとは限らない。
【００１７】
図１は、本発明の一実施形態に係る撮像装置１００の利用環境の一例を示す。撮像装置１００は、ユーザ１８０の指示に基づいて、ユーザ１８０が観光に訪れた旅行先の画像を撮像する。撮像装置１００は、ユーザ１８０からの旅行の目的地の入力を受け付けて、その目的地の周辺の代表的な風景等を撮像することができる撮像スポットの位置情報と、その撮像スポットからの最も望ましい撮像方向を、インターネット等の通信回線１５０に接続された撮像指示情報データベース１８８、半導体メモリ等の記録媒体等から取得しておく。そして、撮像装置１００は、現在の位置が撮像スポットにあることを検出すると、撮像スポットのモニタ画面に撮像方向を表示して、ユーザ１８０に撮像するよう促す。
【００１８】
なお、撮像装置１００は、デジタルスチルカメラ、カメラ付携帯電話、撮像機能を有するＰＤＡ等であってよい。また、撮像装置１００は、撮像装置１００の現在位置の周辺の撮像スポットの情報を、無線ＬＡＮ等の通信回線１５０を通じて撮像指示情報データベース１８８から取得してもよい。
【００１９】
以上説明した撮像装置１００によれば、旅行先の代表的な被写体を撮像する撮像スポットにいることを、ユーザ１８０に知らせることができる。このため、ユーザ１８０は、撮像スポットにいるかどうかを気にすることなく観光に集中するこができるとともに、撮像スポットで撮像し損ねてしまうといった失敗を未然に防ぐことができる。また、ユーザ１８０は、撮像装置１００で指示された方向を向いて撮像することで、より望ましい画像を撮像することができる。
【００２０】
図２は、撮像装置１００のブロック構成の一例を示す。撮像装置１００は、目的地入力部２６２、撮像指示情報取得部２６４、撮像指示部２６６、位置検出部２６８、移動履歴格納部２７０、撮像指示情報消去制御部２７２、撮像部２７４、撮像指示情報格納部２７６、及び画像格納部２７８を備える。
【００２１】
目的地入力部２６２は、ユーザ１８０に目的地を入力させる。撮像指示情報取得部２６４は、目的地入力部２６２から入力された目的地の周辺における、撮像を行うべきことをユーザ１８０に指示すべき位置である撮像位置を含む撮像指示情報を取得する。例えば、撮像指示情報データベース１８８は、撮像位置、撮像位置から撮像を行うべき方向である撮像方向、及び撮像を行うべき時刻である撮像時刻を格納する。そして、撮像指示情報取得部２６４は、撮像指示情報データベース１８８から撮像指示情報を取得する。
【００２２】
そして、撮像指示情報格納部２７６は、撮像を行うべきことをユーザ１８０に指示すべき位置である撮像位置を含む撮像指示情報を格納する。また、撮像指示情報格納部２７６は、撮像位置に対応づけて、撮像位置から撮像を行うべき方向である撮像方向をさらに格納する。また、撮像指示情報格納部２７６は、撮像位置に対応づけて、撮像位置において撮像を行うべき時刻である撮像時刻をさらに格納する。具体的には、撮像指示情報格納部２７６は、撮像指示情報取得部２６４が取得した撮像指示情報を格納する。
【００２３】
位置検出部２６８は、撮像装置１００の位置を検出する。具体的には、位置検出部２６８は、撮像装置１００が位置する場所の緯度及び経度情報を、ＧＰＳ衛星から受信することによって検出する。なお、位置検出部２６８は、予め定めた時間間隔で撮像装置１００の位置を取得しておく。そして、移動履歴格納部２７０は、位置検出部２６８が検出した位置の履歴である移動履歴を格納する。具体的には、移動履歴格納部２７０は、位置検出部２６８が検出した緯度及び経度、並びに位置検出部２６８が位置を検出した時刻の履歴を格納する。
【００２４】
撮像指示部２６６は、撮像指示情報格納部２７６が格納する撮像位置と位置検出部２６８が検出した位置との間の距離が予め定められた設定距離より短いことを条件として、ユーザ１８０に対して撮像を行うべきことを指示する。さらに、撮像指示部２６６は、撮像指示情報格納部２７６が格納する撮像時刻と現在時刻との間の時間が予め定められた時間差より短いことを条件として、ユーザ１８０に対して撮像を行うべきことを指示する。具体的には、撮像指示部２６６は、ユーザ１８０に対して撮像を行うべきことを指示するとともに、撮像位置からの撮像方向を指示する。
【００２５】
なお、撮像指示情報格納部２７６は、撮像時刻に対応づけて、撮像時刻に撮像を行うことの重要性を示す時刻重要度をさらに格納する。そして、撮像指示部２６６は、撮像指示情報が格納する時刻重要度がより大きい場合に、より短い時間差でユーザ１８０に対して撮像を行うべきことを指示する。このため、撮像指示部２６６は、撮像位置におけるより適切な画像を撮像することができるタイミングで撮像を指示することができる。
【００２６】
画像格納部２７８は、撮像指示情報格納部２７６と同一のメモリ２８０内に構成され、撮像部２７４によって撮像された画像を格納する。撮像指示情報消去制御部２７２は、メモリ２８０の空き容量が予め定められた容量より小さくなった場合に、撮像指示情報格納部２７６が格納する撮像指示情報を消去する。具体的には、撮像指示情報消去制御部２７２は、移動履歴格納部２７０を参照することによって、撮像指示情報格納部２７６が格納する撮像位置を撮像装置１００が通り過ぎたと判断した場合に、撮像指示情報格納部２７６が格納する撮像指示情報を消去する。このため、画像格納部２７８に画像を格納できなくなることを未然に防ぐことができる。したがって、メモリ２８０を有効に活用することができる。
【００２７】
以上説明した撮像装置１００によれば、旅行先の代表的な被写体を撮像する撮像スポットにいることを、撮像スポットに応じた望ましい画像を撮像することができるタイミングでユーザ１８０に知らせることができる。そして、撮像した画像が増加してメモリ２８０の空き容量が少なくなっても、ユーザ１８０が通過した地域の撮像指示情報を自動的に消去していくので、予め沢山の撮像指示情報をメモリ２８０に格納しておくことができる。このため、ユーザ１８０は撮像スポットに気をとられることなく観光を楽しみつつ、より多くの撮像スポットを効率的に撮像しておくことができる。
【００２８】
図３は、撮像指示情報格納部２７６が格納する撮像指示情報の一例をテーブル形式で示す。撮像指示情報格納部２７６は、撮像位置を示す緯度及び経度、撮像方向、撮像時刻、及び時刻重要度を格納する。撮像指示情報格納部２７６は、撮像位置において望ましい画像を撮像することができる時刻を撮像時刻として格納する。また、撮像指示情報格納部２７６は、撮像時刻において撮像すべき時刻の重要性を示す指標を時刻重要度として格納する。図３の例では、撮像指示情報格納部２７６は、撮像時刻に撮像を行う重要性を示す３段階の指標（Ａ、Ｂ、Ｃ）を、時刻重要度として格納する。また、撮像指示情報格納部２７６は、撮像位置において望ましい画像を撮像することができる方向、例えば南、北等の、実空間に対する絶対方向を、撮像方向として格納する。
【００２９】
そして、撮像指示部２６６は、位置検出部２６８で検出された位置が、撮像指示情報格納部２７６によって格納されている緯度及び経度で示される撮像位置の近傍にあるか否かを判断する。また、撮像指示部２６６は、現在の時刻が撮像時刻に近いか否かを判断する。そして、撮像指示部２６６は、撮像位置の近傍であり、現在の時刻が撮像時刻の近い場合に、当該撮像位置からの撮像方向をモニタ画面に表示してユーザ１８０に撮像を指示する。なお、撮像指示部２６６は、より大きい時刻重要度を持つ撮像位置においては、現在の時刻と撮像時刻とより近い場合に、ユーザ１８０に撮像を指示する。また、撮像指示部２６６は、最も低い時刻重要度を持つ撮像位置においては、時刻に関係なくユーザ１８０に撮像を指示してもよい。
【００３０】
このため、撮像位置において最も望ましい画像が撮像できる時刻に撮像するようユーザ１８０に指示することができる。例えば、夕焼けで有名な風景を撮像することができる撮像スポットにユーザ１８０が夕刻に訪れると、その撮像スポットで夕焼けを撮像するよう撮像装置１００から指示される。なお、撮像時刻とは、撮像すべきタイミングを示す指標であってよい。例えば、撮像時刻は、１日の時間的範囲におけるタイミングを示す時刻情報であってよい。また、撮像時刻は、１年の時間的範囲におけるタイミングを示す季節情報であってもよい。これによって、ユーザ１８０は、秋に紅葉の風景等を撮像する等、様々な時間的範囲での適切なタイミングで画像を撮像することができる。
【００３１】
なお、撮像指示情報格納部２７６は、撮像指示情報格納部２７６が格納する各撮像位置からの各撮像方向で撮像された、好ましい構図の画像を格納してもよい。そして、撮像指示部２６６は、撮像装置１００のモニタ画像に当該画像と撮像方向とを表示させることによって、ユーザ１８０に撮像を指示してよい。これにより、ユーザ１８０は、モニタ画面に表示された望ましい構図の画像を参考にして撮像することができる。
【００３２】
図４は、撮像指示部２６６が撮像を指示する流れの一例を示す。撮像指示部２６６は、位置検出部２６８によって検出された撮像装置１００の現在位置と、撮像指示情報格納部２７６に格納された撮像位置との距離が、設定距離αよりも小さいか否かを判断する（Ｓ４０２）。Ｓ４０２において、現在位置と撮像位置との間の距離が設定距離αよりも小さい場合、撮像指示部２６６は、当該撮像位置における時刻重要度に応じて時間差βを決定する（Ｓ４０４）。なお、撮像指示部２６６は、時刻重要度がより大きい場合に、より短い時間差を決定してよい。また、撮像指示部２６６は、時刻重要度に対応づけられた時間差を予め格納しておき、時刻重要度に対応づけられた時間差βを選択してもよい。
【００３３】
そして、撮像指示部２６６は、撮像指示情報格納部２７６に格納された撮像時刻と現在時刻との差の絶対値が時間差βより小さいか否かを判断する（Ｓ４０６）。Ｓ４０６において、撮像時刻と現在時刻との差の絶対値が時間差βより小さい場合、撮像指示部２６６は撮像方向を画面に表示して撮像を指示し（Ｓ４０８）、処理を終了する。
【００３４】
Ｓ４０２において、現在位置と撮像位置との間の距離が設定距離α以上である場合には、撮像指示部２６６は処理を終了する。また、Ｓ４０６において、撮像時刻と現在時刻との差の絶対値が時間差β以上である場合には、撮像指示部２６６は処理を終了する。
【００３５】
例えば、撮像指示情報格納部２７６は、夜には美しい夜景を撮像することができるが、昼間に撮像すると工場等が写ってしまうような撮像スポットには、金閣寺などのように時間帯によらず美しい画像が得られる撮像スポット等に比べて、より大きい時刻重要度を格納しておく。この場合、夜景が撮像される撮像スポットにユーザ１８０が昼間にいるときには、夜景を撮像するよう指示されないが、夜間にその撮像スポットにいるときには、夜景を撮像するよう撮像装置１００から指示される。このため、ユーザ１８０は、昼間に工場が写ってしまう撮像スポットで撮像する等といった無駄な行動をすることなく、望ましい画像が得られるタイミングで効率的に撮像することができる。
【００３６】
なお、Ｓ４０２において、撮像指示部２６６は、位置検出部２６８によって検出される現在位置の時間変化に基づいて、撮像装置１００の移動速度を検出してもよい。そして、撮像指示部２６６は、より大きい移動速度が検出された場合に、より大きい設定距離αを決定してもよい。このため、ユーザ１８０が自動車等で移動している場合でも、当該撮像スポットを通過してしまう前に、撮像スポットに近づいたことを適切に知らせることができる。
【００３７】
図５は、撮像指示情報を消去する処理フローの一例を示す。撮像部２７４は、ユーザ１８０の指示によって画像を撮像（Ｓ５０２）し、当該画像を画像格納部２７８に格納する（Ｓ５０４）。そして、撮像指示情報消去制御部２７２は、メモリ２８０の空き容量が予め定められた容量γよりも小さいか否かを判断する（Ｓ５０６）。
【００３８】
Ｓ５０６において、メモリ２８０の空き容量が容量γよりも小さい場合には、撮像指示情報消去制御部２７２は、移動履歴格納部２７０に基づいて撮像装置１００が通り過ぎた撮像位置を判断して、当該撮像位置の撮像指示情報を撮像指示情報格納部２７６から消去して（Ｓ５０８）、処理を終了する。
【００３９】
Ｓ５０６において、メモリ２８０の空き容量が容量γ以上である場合には、撮像指示情報消去制御部２７２は撮像指示情報格納部２７６から撮像指示情報を消去せずに処理を終了する。なお、メモリ２８０の空き容量が容量γ以上である場合であっても、撮像部２７４による撮像のタイミングで位置検出部２６８によって検出される現在位置が、撮像指示情報格納部２７６に格納されている撮像位置の近傍であり、当該撮像位置で撮像したと判断される場合には、撮像指示情報消去制御部２７２は、当該撮像位置の撮像指示情報を撮像指示情報格納部２７６から削除してもよい。
【００４０】
なお、Ｓ５０８において、撮像指示情報消去制御部２７２は、撮像指示情報格納部２７６が格納する撮像指示情報のうち、移動履歴格納部２７０に格納されている撮像装置１００の位置の近傍に位置する撮像位置の撮像指示情報を選択して消去してよい。また、撮像指示情報消去制御部２７２は、撮像指示情報格納部２７６に含まれる撮像位置のうち、現在の撮像装置１００の位置に含まれる地域と異なる地域であって、移動履歴格納部２７０に格納されている位置を含む地域に含まれる撮像位置の撮像情報を撮像指示情報格納部２７６から消去してよい。例えば、ユーザ１８０が欧州を旅行している場合に、撮像指示情報を消去するときの現在位置がフランスであるときには、既に訪れたイタリアにおける撮像指示情報を撮像指示情報格納部２７６から消去する。
【００４１】
以上説明した撮像装置１００によれば、旅行先の代表的な被写体を撮像する撮像スポットにいることを、その撮像スポットで望ましい画像を撮像することができるタイミングでユーザ１８０に知らせることができる。また、ユーザ１８０が通過した地域の撮像指示情報を自動的に消去していくので、予め沢山の撮像指示情報をメモリ２８０に格納しておくことができる。例えば、撮像装置１００は、同じ被写体を撮像する撮像指示情報でも、撮像位置、撮像方向、撮像時刻、及び時刻重要度の様々なバリエーションの沢山の撮像指示情報を予め格納しておくことができる。このため、ユーザ１８０は撮像スポットに気をとられることなく観光を楽しみつつ、シャッターチャンスを逃すことなく効率的に撮像しておくことができる。
【００４２】
図６は、撮像装置１００に係るコンピュータ１５００のハードウェア構成の一例を示す。コンピュータ１５００は、ホスト・コントローラ１５８２により相互に接続されるＣＰＵ１５０５、ＲＡＭ１５２０、グラフィック・コントローラ１５７５、及び表示装置１５８０を有するＣＰＵ周辺部と、入出力コントローラ１５８４によりホスト・コントローラ１５８２に接続される通信インターフェイス１５３０、ハードディスクドライブ１５４０、及びＣＤ−ＲＯＭドライブ１５６０を有する入出力部と、入出力コントローラ１５８４に接続されるＲＯＭ１５１０、フレキシブルディスク・ドライブ１５５０、及び入出力チップ１５７０を有するレガシー入出力部とを備える。
【００４３】
ホスト・コントローラ１５８２は、ＲＡＭ１５２０と、高い転送レートでＲＡＭ１５２０をアクセスするＣＰＵ１５０５、及びグラフィック・コントローラ１５７５とを接続する。ＣＰＵ１５０５は、ＲＯＭ１５１０、及びＲＡＭ１５２０に格納されたプログラムに基づいて動作し、各部の制御を行う。グラフィック・コントローラ１５７５は、ＣＰＵ１５０５等がＲＡＭ１５２０内に設けたフレーム・バッファ上に生成する画像データを取得し、表示装置１５８０上に表示させる。これに代えて、グラフィック・コントローラ１５７５は、ＣＰＵ１５０５等が生成する画像データを格納するフレーム・バッファを、内部に含んでもよい。
【００４４】
入出力コントローラ１５８４は、ホスト・コントローラ１５８２と、比較的高速な入出力装置であるハードディスクドライブ１５４０、通信インターフェイス１５３０、ＣＤ−ＲＯＭドライブ１５６０を接続する。ハードディスクドライブ１５４０は、コンピュータ１５００内のＣＰＵ１５０５が使用するプログラム、及びデータを格納する。通信インターフェイス１５３０は、ネットワークを介して撮像装置１００と通信し、撮像装置１００にプログラム、及びデータを提供する。ＣＤ−ＲＯＭドライブ１５６０は、ＣＤ−ＲＯＭ１５９５からプログラムまたはデータを読み取り、ＲＡＭ１５２０を介してハードディスクドライブ１５４０、及び通信インターフェイス１５３０に提供する。
【００４５】
また、入出力コントローラ１５８４には、ＲＯＭ１５１０と、フレキシブルディスク・ドライブ１５５０、及び入出力チップ１５７０の比較的低速な入出力装置とが接続される。ＲＯＭ１５１０は、コンピュータ１５００が起動時に実行するブート・プログラムや、コンピュータ１５００のハードウェアに依存するプログラム等を格納する。フレキシブルディスク・ドライブ１５５０は、フレキシブルディスク１５９０からプログラムまたはデータを読み取り、ＲＡＭ１５２０を介してハードディスクドライブ１５４０、及び通信インターフェイス１５３０に提供する。入出力チップ１５７０は、フレキシブルディスク・ドライブ１５５０や、例えばパラレル・ポート、シリアル・ポート、キーボード・ポート、マウス・ポート等を介して各種の入出力装置を接続する。
【００４６】
ＲＡＭ１５２０を介して通信インターフェイス１５３０に提供されるプログラムは、フレキシブルディスク１５９０、ＣＤ−ＲＯＭ１５９５、またはＩＣカード等の記録媒体に格納されて利用者によって提供される。プログラムは、記録媒体から読み出され、ＲＡＭ１５２０を介して通信インターフェイス１５３０に提供され、ネットワークを介して撮像装置１００に送信される。撮像装置１００に送信されたプログラムは、撮像装置１００においてインストールされて実行される。
【００４７】
撮像装置１００にインストールされて実行されるプログラムは、撮像装置１００を、図１から図５にかけて説明した目的地入力部２６２、撮像指示情報取得部２６４、撮像指示部２６６、位置検出部２６８、移動履歴格納部２７０、撮像指示情報消去制御部２７２、撮像部２７４、撮像指示情報格納部２７６、及び画像格納部２７８として機能させる。
【００４８】
以上に示したプログラムは、外部の記憶媒体に格納されてもよい。記憶媒体としては、フレキシブルディスク１５９０、ＣＤ−ＲＯＭ１５９５の他に、ＤＶＤやＰＤ等の光学記録媒体、ＭＤ等の光磁気記録媒体、テープ媒体、ＩＣカード等の半導体メモリ等を用いることができる。また、専用通信ネットワークやインターネットに接続されたサーバシステムに設けたハードディスクまたはＲＡＭ等の記憶装置を記録媒体として使用し、ネットワークを介してプログラムをコンピュータ１５００に提供してもよい。
【００４９】
以上、実施形態を用いて本発明を説明したが、本発明の技術的範囲は上記実施形態に記載の範囲には限定されない。上記実施形態に、多様な変更又は改良を加えることができる。そのような変更又は改良を加えた形態も本発明の技術的範囲に含まれ得ることが、特許請求の範囲の記載から明らかである。
【図面の簡単な説明】
【００５０】
【図１】撮像装置１００の利用環境の一例を示す図である。
【図２】撮像装置１００のブロック構成の一例を示す図である。
【図３】撮像指示情報の一例をテーブル形式で示す図である。
【図４】撮像を指示する流れの一例を示す図である。
【図５】撮像指示情報を消去する処理フローの一例を示す図である。
【図６】撮像装置１００に係るコンピュータ１５００のハードウェア構成の一例を示す図である。
【符号の説明】
【００５１】
１００  撮像装置
１５０  通信回線
１８０  ユーザ
１８８  撮像指示情報データベース
２６２  目的地入力部
２６４  撮像指示情報取得部
２６６  撮像指示部
２６８  位置検出部
２７０  移動履歴格納部
２７２  撮像指示情報消去制御部
２７４  撮像部
２７６  撮像指示情報格納部
２７８  画像格納部
２８０  メモリ
【図１】
2006251383.tif 000003
【図２】
2006251383.tif 000004
【図３】
2006251383.tif 000005
【図４】
2006251383.tif 000006
【図５】
2006251383.tif 000007
【図６】
2006251383.tif 000008